(57)【要約】  本発明は、携帯電話とユーザーゲーム共通端末機とが連動されたゲームシステム及びその方法に係り、携帯電話とユーザーゲーム共通端末機をゲームサーバーと連動させ、ユーザーゲーム共通端末機と画面ディスプレイ装置とを連動させ、ユーザーゲーム共通端末機から送出された映像データを画面ディスプレイ装置に出力することによって、大型画面でゲームを楽しむことができ、携帯電話を利用した無線通信を通じて複数のゲーマーが単一のユーザーゲーム共通端末機を利用してゲームを楽しめるようにした携帯電話とユーザーゲーム共通端末機とが連動されたゲームシステム及びその方法を提供するところにその目的がある。  本発明を適用すれば、複数のゲーマーが自分だけのための一つ以上の画面と参加者全員のための共通の画面とにそれぞれ異なる情報が表示できて、一つの画面では具現できなかった同時参加型ゲームの具現が可能である。また、カードや花札、マ―ジャン、競馬と共に自分の固有情報を隠すべきゲームで自分の情報を効率的に隠すことができてゲームの興味を高め、共通画面を通じて実際と同じ中継を行って視聴者に高い現場感を与えることができる。また、携帯電話を、マウスまたはジョイスティックのようなコントローラの代わりとして使用して、所望のゲーム操作環境の提供が可能であり、共通画面への高い集中度によって同一現場に位置した多者に同時に広告を露出して高い広告効果を得ることができるという長所がある。
2010515524.tif 000002
【特許請求の範囲】
【請求項１】
各種ゲームコンテンツをユーザーゲーム共通端末機（Ｃ１〜Ｃｎ）に提供し、前記ユーザーゲーム共通端末機（Ｃ１〜Ｃｎ）から伝送されたゲーム参加者についての設定及びゲーム参加者についての情報登録を行い、ゲーム演算を実行し、前記ユーザーゲーム共通端末機（Ｃ１〜Ｃｎ）から伝送されたゲーム実行のためのキー信号及びゲーマー情報によりゲームコンテンツを演算処理して、変更されたゲーム映像データ及び音声データを前記ユーザーゲーム共通端末機（Ｃ１〜Ｃｎ）に伝送し、前記キー信号を携帯電話から受信して演算することでゲームを進めるゲームサーバー（ＧＰＳ）と、
前記ゲームサーバー（ＧＰＳ）に各ゲーマーの認証情報及び各ゲーマーのゲーム参加設定信号を伝送し、前記ゲームサーバー（ＧＰＳ）からゲーム映像データ及び音声データを受信して出力させ、各ゲーマーの前記キー信号を前記ゲームサーバー（ＧＰＳ）に伝送し、前記ゲームサーバー（ＧＰＳ）のゲーム演算値を受信して機器を制御する多者間ゲーム装置（Ｂ１〜Ｂｎ）を備えることを特徴とする携帯電話とユーザーゲーム共通端末機とが連動されたゲームシステム。
【請求項２】
前記多者間ゲーム装置（Ｂ１〜Ｂｎ）は、
各ゲーマーの認証情報及び各ゲーマーのゲーム参加設定信号をゲームサーバー（ＧＰＳ）に伝送し、前記ゲームサーバー（ＧＰＳ）からゲーム映像と広告映像と音声データとを受信し、ゲーマーのキー信号を前記ゲームサーバー（ＧＰＳ）に伝送し、前記ゲームサーバー（ＧＰＳ）のゲーム演算値を受信して画面ディスプレイ装置に出力するユーザーゲーム共通端末機（Ｃ１〜Ｃｎ）と、
前記ユーザーゲーム共通端末機（Ｃ１〜Ｃｎ）から受信したゲーム映像と音声データとを出力する画面ディスプレイ装置と、
前記ユーザーゲーム共通端末機（Ｃ１〜Ｃｎ）と連動されて各ゲーマーの認証情報、各ゲーマーのゲーム参加設定信号、及びゲーム実行時の前記キー信号を前記ゲームサーバー（ＧＰＳ）に伝送するための携帯電話（Ａ１〜Ａｎ）と、を備えることを特徴とする請求項１に記載の携帯電話とユーザーゲーム共通端末機とが連動されたゲームシステム。
【請求項３】
前記携帯電話（Ａ１〜Ａｎ）は、
ゲームコンテンツの特性によって前記ユーザーゲーム共通端末機（Ｃ１〜Ｃｎ）と連携して動作し、前記ゲームサーバーから受信したゲームデータの一部を前記携帯電話（Ａ１〜Ａｎ）の画面のみに出力させることを特徴とする請求項２に記載の携帯電話とユーザーゲーム共通端末機とが連動されたゲームシステム。
【請求項４】
前記携帯電話（Ａ１〜Ａｎ）は、
位置移動によってキー信号と同じ信号を自動で発生させるＧセンサーを備え、入力されたデータを携帯電話用無線通信網を通じてゲームサーバー（ＧＰＳ）に自動伝送することを特徴とする請求項２に記載の携帯電話とユーザーゲーム共通端末機とが連動されたゲームシステム。
【請求項５】
前記携帯電話（Ａ１〜Ａｎ）は、
ゲーム実行に対する駆動、ゲーム実行時にキー信号の発生感知、通信網自動接続、ゲームサーバーへのキー信号の自動伝送を行うゲーム実行アルゴリズムが設置されたことを特徴とする請求項２に記載の携帯電話とユーザーゲーム共通端末機とが連動されたゲームシステム。
【請求項６】
前記携帯電話（Ａ１〜Ａｎ）は、
ブルートゥース、赤外線、またはその他の無線近距離通信を媒介として前記ユーザーゲーム共通端末機（Ｃ１〜Ｃｎ）と交信することによって、ゲームデータを、前記ユーザーゲーム共通端末機（Ｃ１〜Ｃｎ）を経由するインターネットラインを通じて前記ゲームサーバー（ＧＰＳ）に伝送する機能を持つ携帯電話用送受信器を備えることを特徴とする請求項４に記載の携帯電話とユーザーゲーム共通端末機とが連動されたゲームシステム。
【請求項７】
前記ゲームサーバー（ＧＰＳ）は、
ウェブサーバー、防火壁、及びプロトコル設定プロセッサーを備え、前記携帯電話（Ａ１〜Ａｎ）または前記ユーザーゲーム共通端末機（Ｃ１〜Ｃｎ）と通信を行って各種ゲーム関連認証／ユーザー設定信号及びキー信号を受信し、ゲーム演算データを前記携帯電話（Ａ１〜Ａｎ）または前記ユーザーゲーム共通端末機（Ｃ１〜Ｃｎ）に伝送するための通信モジュールと、
特定ゲームコンテンツについてのゲーム参加者の情報を設定するために、ゲーム参加のための要請信号を前記携帯電話（Ａ１〜Ａｎ）や前記ユーザーゲーム共通端末機（Ｃ１〜Ｃｎ）から受信し、ゲーム参加のための要請信号とゲーマー情報と携帯電話情報とを設定するユーザー設定プロセッサーと、
前記ユーザーゲーム共通端末機（Ｃ１〜Ｃｎ）に対して、各種ゲームコンテンツデータ及び変更データを管理するためのゲームコンテンツ管理プロセッサーと、
ゲームデータ出力と連動して、前記携帯電話（Ａ１〜Ａｎ）や前記ユーザーゲーム共通端末機（Ｃ１〜Ｃｎ）への広告データの出力を制御するための広告データ出力制御プロセッサーと、
ゲーム実行前にいずれか一つのユーザーゲーム共通端末機（Ｃ１〜Ｃｎ）を通じて、ゲームを進める少なくとも一つ以上の携帯電話（Ａ１〜Ａｎ）情報を該当ゲーマーのウェブＩＤと連動して登録して、ゲームキー操作信号及びゲーム演算値を各ユーザーゲーム共通端末機／携帯電話別に管理するユーザーゲーム共通端末機／携帯電話連動登録部と、
ゲーム実行後前記携帯電話（Ａ１〜Ａｎ）から伝送されたキー信号により、前記ユーザーゲーム共通端末機（Ｃ１〜Ｃｎ）に伝送するゲームデータを演算するゲームデータ演算プロセッサーと、
ゲームコンテンツ使用料やアイテム購入費用を、前記携帯電話（Ａ１〜Ａｎ）とユーザーゲーム共通端末機（Ｃ１〜Ｃｎ）とを通じる認証で決済処理を行う決済プロセッサーと、
ＲＡＭとＲＯＭとで構成されてゲームデータ処理情報、ゲーム参加者の情報、携帯電話とユーザーゲーム共通端末機間の連動情報を含んで保存するメモリと、
ユーザーゲーム共通端末機（Ｃ１〜Ｃｎ）に対する携帯電話（Ａ１〜Ａｎ）の連携登録を通じて、ゲーム参加者設定及び変更されたゲームデータの演算値を利用したゲーム出力制御、広告データ出力制御、携帯電話（Ａ１〜Ａｎ）から伝送されたキー信号を通じるゲームデータ演算、及び関連したユーザーゲーム共通端末機（Ａ１〜Ａｎ）へのゲーム演算値伝送をはじめとするシステム全般の制御を行うための制御部と、を備えることを特徴とする請求項２に記載の携帯電話とユーザーゲーム共通端末機とが連動されたゲームシステム。
【請求項８】
ゲームサーバー（ＧＰＳ）がユーザーゲーム共通端末機（Ｃ１〜Ｃｎ）からゲーム初期化選択信号を受信する第１過程と、
前記ユーザーゲーム共通端末機（Ｃ１〜Ｃｎ）が携帯電話情報、ウェブＩＤ情報、認証情報、参加者ゲーム開始要求信号をゲームサーバー（ＧＰＳ）に伝送する第２過程と、
前記ゲームサーバー（ＧＰＳ）が該当信号を受信してウェブＩＤ情報と携帯電話とを連携登録し、該当ゲームのコンテンツデータを前記ユーザーゲーム共通端末機（Ｃ１〜Ｃｎ）に伝送して開始を認証する第３過程と、
前記ユーザーゲーム共通端末機（Ｃ１〜Ｃｎ）が、ゲームの開始情報及びコンテンツ情報を受信して画面ディスプレイ装置に出力させる第４過程と、
ゲーム参加者が前記携帯電話（Ａ１〜Ａｎ）を位置移動させるか、またはキー操作してキー信号を発生させれば、該当キー信号を携帯電話通信網またはユーザーゲーム共通端末機に連結される携帯電話送受信器を通じて前記ゲームサーバー（ＧＰＳ）に伝送する第５過程と、
前記ゲームサーバー（ＧＰＳ）が該当ゲーマーのキー信号によってゲームデータを演算処理し、変更されたゲームデータを前記ユーザーゲーム共通端末機（Ｃ１〜Ｃｎ）と前記携帯電話（Ａ１〜Ａｎ）とに伝送する第６過程と、
変更されたゲームデータを前記画面ディスプレイ装置に出力させる第７過程と、を含むことを特徴とする携帯電話とユーザーゲーム共通端末機とが連動されたゲーム方法。
【請求項９】
前記第３過程は、
前記ゲームサーバー（ＧＰＳ）がゲーマーの認証データを受信する過程と、
前記ゲームサーバー（ＧＰＳ）が該当ゲーマーが会員であるかどうかを判断して、会員でなければ、該当ユーザーの身元情報を受信してＩＤと勘定とを新規生成する過程と、
前記ゲームサーバー（ＧＰＳ）が該当会員をログイン処理する過程と、
前記ゲームサーバー（ＧＰＳ）がユーザーゲーム共通端末機（Ｃ１〜Ｃｎ）からゲームに参加するユーザーの携帯電話情報または勘定ＩＤ情報を受信して、前記携帯電話（Ａ１〜Ａｎ）をウェブＩＤに連携して登録して呼び出しする過程と、
携帯電話（Ａ１〜Ａｎ）を利用して、前記ゲームサーバー（ＧＰＳ）に認証暗号及びゲーム接続のための応答信号を伝送すれば、該当ゲームサーバー（ＧＰＳ）が該当認証暗号を通じて有効な会員であるかどうかを判断してゲーム参加を承認する過程と、を含むことを特徴とする請求項８に記載の携帯電話とユーザーゲーム共通端末機とが連動されたゲーム方法。
【請求項１０】
前記第３過程は、
前記ゲームサーバー（ＧＰＳ）がゲーマーの認証データを受信する過程と、
前記ゲームサーバー（ＧＰＳ）が該当ゲーマーが会員であるかどうかを判断して、会員でない場合ならば、該当ユーザーの身元情報を受信してＩＤと勘定とを新規生成する過程と、
前記ゲームサーバー（ＧＰＳ）が該当会員をログイン処理する過程と、
前記ゲームサーバー（ＧＰＳ）がユーザーゲーム共通端末機（Ｃ１〜Ｃｎ）からゲームに参加するユーザーを集める部屋を開設する過程と、
携帯電話（Ａ１〜Ａｎ）を利用して前記ゲームサーバー（ＧＰＳ）に接続するためのプログラムを設置した後、開設された部屋に接近して参加意思を表示し、開設者がゲーム参加を承認する過程と、を含むことを特徴とする請求項８に記載の携帯電話とユーザーゲーム共通端末機とが連動されたゲーム方法。
【請求項１１】
ゲームコンテンツは、前記ゲームサーバー（ＧＰＳ）で演算されるものではなくユーザーゲーム共通端末機で演算されるために、
特定ゲームコンテンツを選択する過程と、
選択されたゲームコンテンツをユーザーゲーム共通端末機にダウンロードする過程と、
携帯電話で発生したキー信号をゲームサーバー（ＧＰＳ）を媒介として受信し、ゲームデータを演算して画面出力する過程がユーザーゲーム共通端末機で単独で行われるようにしたことを特徴とする請求項８に記載の携帯電話とユーザーゲーム共通端末機とが連動されたゲーム方法。
【発明の詳細な説明】
【技術分野】
【０００１】
本発明は、携帯電話とユーザーゲーム共通端末機とが連動されたゲームシステム及びその方法に係り、より詳細には、携帯電話とユーザーゲーム共通端末機をゲームサーバーと連動させ、ユーザーゲーム共通端末機と画面ディスプレイ装置とを連動させ、ユーザーゲーム共通端末機から送出された映像データを画面ディスプレイ装置に出力することによって、大型画面でゲームを楽しむことができ、携帯電話を利用した無線通信を通じて複数のゲーマーが単一のユーザーゲーム共通端末機を利用してゲームを楽しめるようにした携帯電話とユーザーゲーム共通端末機とが連動されたゲームシステム及びその方法に関する。
【背景技術】
【０００２】
周知のように、最近情報通信機術の発達につれて遠距離データ通信網を介して多様な分野についての情報を、少なくとも一つ以上のホストサーバーを通じて複数の加入者側にリアルタイムで提供する情報提供技術の開発が活発に進行中である。
【０００３】
これに基づいて、最近には加入者に正確な情報をさらに速かに提供するためのキャッシュメモリ拡張技術など、周辺技術と加入者の好み及び選好度により便利に接近できる情報選別技術及び圧縮機術が開発中であり、これを通じた各種コンテンツ及びそのソリューションの開発にも拍車をかけている実情である。
【０００４】
特に、最近にはオンラインゲームが発売されて多くのユーザーがゲームに参加している。ゲームシステムは、オンラインゲームとシングルプレイゲームとに大別できる。シングルプレイゲームは、複数のユーザーが同時に接続してゲームを楽しむものではなく、特定ストーリーがゲーム装置にあらかじめプログラムされており、ユーザーのイベント信号によって該当ルーチンを進行し続けることによってゲームを進めるものである。オンラインゲームは、基本的なゲームコンテンツをサーバーに搭載した状態で複数のユーザーが該当サーバーに同時接続してゲームを進めるものである。
【０００５】
したがって、多様なレベルのゲーマーが同時にサーバーに接続してゲームを行うことによって、相手ユーザーの反応及びゲーム程度をあらかじめ予測できないため、オンラインゲームがさらにユーザーに興味を高め、さらに多くのゲーマーがオンラインゲームにはまっている実情である。
【０００６】
しかし、従来のオンラインゲームは、ユーザーゲーム共通端末機を通じてゲームコンテンツを提供するサーバーに接続してゲームを行うため、単一のユーザーゲーム共通端末機では同じ情報を表示するようになって、ゲーム参加者別に自分の固有情報を隠すべき花札、カード、マ―ジャン、競馬などの同時参加型ゲームに対しては、単一のゲーマーのみ参加してゲームを楽しむことができ、家庭で複数の人員が同時にゲームを楽しむことはできなかったという問題点があった。
【０００７】
また、たとい、ネットワーク基盤のオンラインゲームを家族が同時に楽しめたとしても、ジョイスティックやマウスが複数必要であるか、一つのコントローラを持続的にやり取りしながらゲームを進めるようになって、そのジョイスティックやマウスの線が非常に複雑にこんがらかるか、進行が遅くなってゲームへの集中度も落とすという問題点があった。
【発明の概要】
【発明が解決しようとする課題】
【０００８】
本発明は、前記従来技術の事情に鑑みてなされたものであり、ＰＣまたはゲーム専用コンソールなどのユーザーゲーム共通端末機と携帯電話とをゲームサーバーと連動させ、ユーザーゲーム共通端末機と画面装置とを連動させ、ユーザーゲーム共通端末機から送出された映像データを画面ディスプレイ装置に出力することによって共通の画面と情報を提供し、携帯電話の画面を通じて参加者固有の画面と情報を提供してゲームを楽しめるようにした、携帯電話とユーザーゲーム共通端末機とが連動されたゲームシステム及びその方法を提供するところにその目的がある。
【課題を解決するための手段】
【０００９】
前記目的を達成するために、本発明の望ましい実施形態によれば、各種ゲームコンテンツをユーザーゲーム共通端末機（Ｃ１〜Ｃｎ）に提供し、ユーザーゲーム共通端末機（Ｃ１〜Ｃｎ）から伝送されたゲーム参加者についての設定及びゲーム参加者についての情報登録を行い、ゲーム演算を実行し、ユーザーゲーム共通端末機（Ｃ１〜Ｃｎ）から伝送されたゲーム実行のためのキー信号及びゲーマー情報によりゲームコンテンツを演算処理して、変更されたゲーム映像データ及び音声データをユーザーゲーム共通端末機（Ｃ１〜Ｃｎ）に伝送し、キー信号を携帯電話から受信して演算することでゲームを進めるゲームサーバー（ＧＰＳ）と、ゲームサーバー（ＧＰＳ）に各ゲーマーの認証情報及び各ゲーマーのゲーム参加設定信号を伝送し、ゲームサーバー（ＧＰＳ）からゲーム映像データ及び音声データを受信して出力させ、各ゲーマーの前記キー信号をゲームサーバー（ＧＰＳ）に伝送し、ゲームサーバー（ＧＰＳ）のゲーム演算値を受信して機器を制御する多者間ゲーム装置（Ｂ１〜Ｂｎ）を備えることを特徴とする携帯電話とユーザーゲーム共通端末機とが連動されたゲームシステムが提供される。
【００１０】
望ましくは、前記多者間ゲーム装置（Ｂ１〜Ｂｎ）は、各ゲーマーの認証情報及び各ゲーマーのゲーム参加設定信号をゲームサーバー（ＧＰＳ）に伝送し、ゲームサーバー（ＧＰＳ）からゲーム映像と広告映像と音声データとを受信し、ゲーマーのキー信号をゲームサーバー（ＧＰＳ）に伝送し、ゲームサーバー（ＧＰＳ）のゲーム演算値を受信して画面ディスプレイ装置に出力するユーザーゲーム共通端末機（Ｃ１〜Ｃｎ）と、ユーザーゲーム共通端末機（Ｃ１〜Ｃｎ）から受信したゲーム映像と音声データとを出力する画面ディスプレイ装置と、ユーザーゲーム共通端末機（Ｃ１〜Ｃｎ）と連動されて各ゲーマーの認証情報、各ゲーマーのゲーム参加設定信号、及びゲーム実行時のキー信号をゲームサーバー（ＧＰＳ）に伝送するための携帯電話（Ａ１〜Ａｎ）と、を備えることを特徴とする。
【００１１】
望ましくは、前記携帯電話（Ａ１〜Ａｎ）は、ゲームコンテンツの特性によってユーザーゲーム共通端末機（Ｃ１〜Ｃｎ）と連携して動作し、ゲームサーバーから受信したゲームデータの一部を携帯電話（Ａ１〜Ａｎ）の画面のみに出力させることを特徴とする。
【００１２】
望ましくは、前記携帯電話（Ａ１〜Ａｎ）は、位置移動によってキー信号と同じ信号を自動で発生させるＧセンサーを備え、入力されたデータを携帯電話用無線通信網を通じてゲームサーバー（ＧＰＳ）に自動伝送することを特徴とする。
【００１３】
望ましくは、前記携帯電話（Ａ１〜Ａｎ）は、ゲーム実行に対する駆動、ゲーム実行時にキー信号の発生感知、通信網自動接続、ゲームサーバーへのキー信号の自動伝送を行うゲーム実行アルゴリズムが設置されたことを特徴とする。
【００１４】
望ましくは、前記ゲームサーバー（ＧＰＳ）は、ウェブサーバー、防火壁、及びプロトコル設定プロセッサーを備え、携帯電話（Ａ１〜Ａｎ）またはユーザーゲーム共通端末機（Ｃ１〜Ｃｎ）と通信を行って各種ゲーム関連認証／ユーザー設定信号及びキー信号を受信し、ゲーム演算データを携帯電話（Ａ１〜Ａｎ）またはユーザーゲーム共通端末機（Ｃ１〜Ｃｎ）に伝送するための通信モジュールと；特定ゲームコンテンツについてのゲーム参加者の情報を設定するために、ゲーム参加のための要請信号を携帯電話（Ａ１〜Ａｎ）やユーザーゲーム共通端末機（Ｃ１〜Ｃｎ）から受信し、ゲーム参加のための要請信号とゲーマー情報と携帯電話情報とを設定するユーザー設定プロセッサーと；ユーザーゲーム共通端末機（Ｃ１〜Ｃｎ）に対して、各種ゲームコンテンツデータ及び変更データを管理するためのゲームコンテンツ管理プロセッサーと；ゲームデータ出力と連動して、携帯電話（Ａ１〜Ａｎ）やユーザーゲーム共通端末機（Ｃ１〜Ｃｎ）への広告データの出力を制御するための広告データ出力制御プロセッサーと；ゲーム実行前にいずれか一つのユーザーゲーム共通端末機（Ｃ１〜Ｃｎ）を通じて、ゲームを進める少なくとも一つ以上の携帯電話（Ａ１〜Ａｎ）情報を該当ゲーマーのウェブＩＤと連動して登録して、ゲームキー操作信号及びゲーム演算値を各ユーザーゲーム共通端末機／携帯電話別に管理するユーザーゲーム共通端末機／携帯電話連動登録部と；ゲーム実行後前記携帯電話（Ａ１〜Ａｎ）から伝送されたキー信号により、ユーザーゲーム共通端末機（Ｃ１〜Ｃｎ）に伝送するゲームデータを演算するゲームデータ演算プロセッサーと；ゲームコンテンツ使用料やアイテム購入費用を、携帯電話（Ａ１〜Ａｎ）とユーザーゲーム共通端末機（Ｃ１〜Ｃｎ）とを通じる認証で決済処理を行う決済プロセッサーと；ＲＡＭとＲＯＭとで構成されてゲームデータ処理情報、ゲーム参加者の情報、携帯電話とユーザーゲーム共通端末機間の連動情報を含んで保存するメモリと；ユーザーゲーム共通端末機（Ｃ１〜Ｃｎ）に対する携帯電話（Ａ１〜Ａｎ）の連携登録を通じて、ゲーム参加者設定及び変更されたゲームデータの演算値を利用したゲーム出力制御、広告データ出力制御、携帯電話（Ａ１〜Ａｎ）から伝送されたキー信号を通じるゲームデータ演算、及び関連したユーザーゲーム共通端末機（Ａ１〜Ａｎ）へのゲーム演算値伝送をはじめとするシステム全般の制御を行うための制御部と；を備えることを特徴とする。
【００１５】
一方、本発明によれば、ゲームサーバー（ＧＰＳ）がユーザーゲーム共通端末機（Ｃ１〜Ｃｎ）からゲーム初期化選択信号を受信する第１過程と；ユーザーゲーム共通端末機（Ｃ１〜Ｃｎ）が携帯電話情報、ウェブＩＤ情報、認証情報、参加者ゲーム開始要求信号をゲームサーバー（ＧＰＳ）に伝送する第２過程と；記ゲームサーバー（ＧＰＳ）が該当信号を受信してウェブＩＤ情報と携帯電話とを連携登録し、該当ゲームのコンテンツデータをユーザーゲーム共通端末機（Ｃ１〜Ｃｎ）に伝送して開始を認証する第３過程と；ユーザーゲーム共通端末機（Ｃ１〜Ｃｎ）が、ゲームの開始情報及びコンテンツ情報を受信して画面ディスプレイ装置に出力させる第４過程と；ゲーム参加者が携帯電話（Ａ１〜Ａｎ）を位置移動させるか、またはキー操作してキー信号を発生させれば、該当キー信号を携帯電話通信網またはユーザーゲーム共通端末機に連結される携帯電話送受信器を通じてゲームサーバー（ＧＰＳ）に伝送する第５過程と；ゲームサーバー（ＧＰＳ）が該当ゲーマーのキー信号によってゲームデータを演算処理し、変更されたゲームデータをユーザーゲーム共通端末機（Ｃ１〜Ｃｎ）と携帯電話（Ａ１〜Ａｎ）とに伝送する第６過程と；変更されたゲームデータを画面ディスプレイ装置に出力させる第７過程と；を含むことを特徴とする携帯電話とユーザーゲーム共通端末機とが連動されたゲーム方法が提供される。
【００１６】
望ましくは、前記第３過程は、ゲームサーバー（ＧＰＳ）がゲーマーの認証データを受信する過程と；ゲームサーバー（ＧＰＳ）が該当ゲーマーが会員であるかどうかを判断して、会員でなければ、該当ユーザーの身元情報を受信してＩＤと勘定とを新規生成する過程と；ゲームサーバー（ＧＰＳ）が該当会員をログイン処理する過程と；ゲームサーバー（ＧＰＳ）がユーザーゲーム共通端末機（Ｃ１〜Ｃｎ）からゲームに参加するユーザーの携帯電話情報または勘定ＩＤ情報を受信して、携帯電話（Ａ１〜Ａｎ）をウェブＩＤに連携して登録して呼び出しする過程と；携帯電話（Ａ１〜Ａｎ）を利用して、ゲームサーバー（ＧＰＳ）に認証暗号及びゲーム接続のための応答信号を伝送すれば、該当ゲームサーバー（ＧＰＳ）が該当認証暗号を通じて有効な会員であるかどうかを判断してゲーム参加を承認する過程と；を含むことを特徴とする。
【００１７】
望ましくは、前記第３過程は、ゲームサーバー（ＧＰＳ）がゲーマーの認証データを受信する過程と；ゲームサーバー（ＧＰＳ）が該当ゲーマーが会員であるかどうかを判断して、会員でない場合ならば、該当ユーザーの身元情報を受信してＩＤと勘定とを新規生成する過程と；ゲームサーバー（ＧＰＳ）が該当会員をログイン処理する過程と；ゲームサーバー（ＧＰＳ）がユーザーゲーム共通端末機（Ｃ１〜Ｃｎ）からゲームに参加するユーザーを集める部屋を開設する過程と；携帯電話（Ａ１〜Ａｎ）を利用してゲームサーバー（ＧＰＳ）に接続するためのプログラムを設置した後、開設された部屋に接近して参加意思を表示し、開設者がゲーム参加を承認する過程と；を含むことを特徴とする。
【００１８】
望ましくは、ゲームコンテンツは、ゲームサーバー（ＧＰＳ）で演算されるものではなくユーザーゲーム共通端末機で演算されるために、特定ゲームコンテンツを選択する過程と；選択されたゲームコンテンツをユーザーゲーム共通端末機にダウンロードする過程と；携帯電話で発生したキー信号をゲームサーバー（ＧＰＳ）を媒介として受信し、ゲームデータを演算して画面出力する過程がユーザーゲーム共通端末機で単独で行われるようにしたことを特徴とする。
【発明の効果】
【００１９】
本発明を適用すれば、複数のゲーマーが自分だけのための一つ以上の画面と参加者全員のための共通の画面とにそれぞれ異なる情報が表示できて、一つの画面では具現できなかった同時参加型ゲームの具現が可能であり、カードや花札、マ―ジャン、競馬と共に自分の固有情報を隠すべきゲームで自分の情報を効率的に隠すことができてゲームの興味を高め、共通画面を通じて実際と同じ中継を行って視聴者に高い現場感を与えることができる。また、携帯電話を、マウスまたはジョイスティックのようなコントローラの代わりとして使用して、自分が所望する通りのゲーム操作環境の提供が可能であり、共通画面への高い集中度によって同一現場に位置した多者に同時に広告を露出して高い広告効果を得ることができるという長所がある。
【図面の簡単な説明】
【００２０】
【図１】図１は本発明の第１実施形態による携帯電話とユーザーゲーム共通端末機とが連動されたゲームシステムの構成を概略的に示す模式図である。
【図２】図２は本発明の第１実施形態による携帯電話とユーザーゲーム共通端末機とが連動されたゲームシステムに備えられたインターフェース手段の構成を示すブロック構成図である。
【図３】図３は本発明の第１実施形態による携帯電話とユーザーゲーム共通端末機とが連動されたゲームシステムを利用した単一ユーザーゲーム共通端末機を通じる多者間マルチゲーム状態を示す図面である。
【図４】図４は本発明の第１実施形態による携帯電話とユーザーゲーム共通端末機とが連動されたゲームシステムの信号フローを示すフローチャートである。
【図５】図５は本発明の第１実施形態による携帯電話とユーザーゲーム共通端末機とが連動されたゲームシステムの信号フローを示すフローチャートである。
【図６】図６は本発明の第１実施形態による携帯電話とユーザーゲーム共通端末機とが連動されたゲームシステムを利用した単独ユーザーゲーム共通端末機ゲームの信号フローを示すフローチャートである。
【発明を実施するための形態】
【００２１】
以下、本発明の第１実施形態について図面を参照して詳細に説明する。
【００２２】
図１は、本発明の第１実施形態による携帯電話とユーザーゲーム共通端末機とが連動されたゲームシステムの構成を概略的に示す模式図である。
【００２３】
これを参照すれば、本発明の第１実施形態による携帯電話とユーザーゲーム共通端末機とが連動されたゲームシステムは、携帯電話とユーザーゲーム共通端末機とをゲームサーバーと連動させ、ユーザーゲーム共通端末機と画面ディスプレイ装置とを連動させ、ユーザーゲーム共通端末機から送出された映像データを画面ディスプレイ装置に出力することによって大型画面でゲームを楽しむことができ、携帯電話を利用した無線通信を通じて、複数のゲーマーが単一のユーザーゲーム共通端末機を利用してゲームを楽しめるようにしたゲームシステムである。
【００２４】
すなわち、本発明の第１実施形態による携帯電話とユーザーゲーム共通端末機とが連動されたゲームシステムは、ユーザーゲーム共通端末機と画面ディスプレイ装置とが有線で連結され、複数ユーザーの携帯電話から受信したゲームに対するキー信号をゲームサーバー（ＧＰＳ）に伝送して該当ゲームを処理させることによって、ゲームサーバーに接続されたユーザーゲーム共通端末機を媒介としてゲーム実行時の映像データと音声データとを画面ディスプレイ装置に送出して出力させ、携帯電話から生成されたキー信号をゲームサーバーに伝送して演算処理しつつゲームを実行させるようにしたシステムである。
【００２５】
このために、本発明の第１実施形態による携帯電話とユーザーゲーム共通端末機とが連動されたゲームシステムは、ゲームサーバー（ＧＰＳ：Ｇａｍｅ Ｐｒｏｖｉｓｉｏｎ Ｓｅｒｖｅｒ）を備える。ゲームサーバー（ＧＰＳ）は、各種ゲームコンテンツをユーザーゲーム共通端末機（Ｃ１〜Ｃｎ）に提供し、ユーザーゲーム共通端末機（Ｃ１〜Ｃｎ）から伝送されたゲーム参加者設定及びゲーム参加者情報登録を行い、ゲーム演算を実行しつつユーザーゲーム共通端末機（Ｃ１〜Ｃｎ）から伝送されたゲーム実行のためのキー信号及びゲーマー情報により該当ゲームコンテンツを演算処理した後、演算処理により変更されたゲーム映像及び音声データをユーザーゲーム共通端末機（Ｃ１〜Ｃｎ）に伝送し、携帯電話からキー信号を受信して演算することでゲームを進める。このために、ゲームサーバー（ＧＰＳ）は、移動通信網を媒介して携帯電話（Ａ１〜Ａｎ）からキー信号を受信する機能を備えている。
【００２６】
また、本発明の第１実施形態による携帯電話とユーザーゲーム共通端末機とが連動されたゲームシステムは、多者間ゲーム装置（Ｂ１〜Ｂｎ）を備える。多者間ゲーム装置（Ｂ１〜Ｂｎ）は、ゲームサーバー（ＧＰＳ）にゲーマー認証情報を伝送し、各ゲーマーのゲーム参加設定信号を伝送し、ゲームサーバー（ＧＰＳ）からゲーム映像及び音声データを受信して出力し、ゲーマーＥより入力されたキー信号をゲームサーバー（ＧＰＳ）に送信し、ゲームサーバー（ＧＰＳ）からゲーム演算値を受信して機器を制御する。
【００２７】
前記多者間ゲーム装置（Ｂ１〜Ｂｎ）は、ユーザーゲーム共通端末機（Ｃ１〜Ｃｎ）と画面ディスプレイ装置と携帯電話（Ａ１〜Ａｎ）とを備える。ユーザーゲーム共通端末機（Ｃ１〜Ｃｎ）は、各ゲーマーの認証情報及び各ゲーマーのゲーム参加設定信号をゲームサーバー（ＧＰＳ）に伝送し、ゲームサーバー（ＧＰＳ）からゲーム映像と広告映像と音声データとを受信し、各ゲーマーのキー信号をゲームサーバー（ＧＰＳ）に伝送し、ゲームサーバー（ＧＰＳ）からゲーム演算値を受信して画面ディスプレイ装置に出力する。画面ディスプレイ装置は、ユーザーゲーム共通端末機（Ｃ１〜Ｃｎ）から伝送されたゲーム映像及び音声データを出力する。携帯電話（Ａ１〜Ａｎ）は、ユーザーゲーム共通端末機（Ｃ１〜Ｃｎ）と連動されて、各ゲーマーの認証情報、各ゲーマーのゲーム参加設定信号、ゲーム実行時のキー信号をゲームサーバー（ＧＰＳ）に伝送する。
【００２８】
この時、携帯電話（Ａ１〜Ａｎ）は、ゲームコンテンツ特性によって画面ディスプレイ装置またはユーザーゲーム共通端末機（Ｃ１〜Ｃｎ）と連携した状態で、ゲームサーバー（ＧＰＳ）が伝送したゲームデータの一部を携帯電話画面のみに出力させることができる。
【００２９】
携帯電話（Ａ１〜Ａｎ）がユーザーゲーム共通端末機（Ｃ１〜Ｃｎ）と連携してゲームを進めるという意味は、ユーザーゲーム共通端末機（Ｃ１〜Ｃｎ）がゲームサーバー（ＧＰＳ）に接続してゲームコンテンツをダウンして実行させると同時に、携帯電話（Ａ１〜Ａｎ）を通じて該当ゲームの進行のためのキー信号をゲームサーバー（ＧＰＳ）に伝送できるという意味である。
【００３０】
すなわち、複数のユーザーのキー操作により携帯電話（Ａ１〜Ａｎ）はキー信号を生成し、該当ゲームコンテンツが特定ユーザーゲーム共通端末機（Ｃ１〜Ｃｎ）を媒介して実行されているというユーザー登録情報をあらかじめゲームサーバー（ＧＰＳ）に登録した状態でゲームを実行すれば、ゲームサーバー（ＧＰＳ）はいかなるユーザーゲーム共通端末機（Ｃ１〜Ｃｎ）と連携してゲームを行う携帯電話（Ａ１〜Ａｎ）からキー信号が印加されるかが判断でき、それによってゲーム演算が可能になる。
【００３１】
特に、ゲームサーバー（ＧＰＳ）が伝送したゲームデータの一部を携帯電話画面のみに出力させることもできる。例えば、携帯電話（Ａ１〜Ａｎ）が“花札ゲーム”を進行しつつ、全体札に該当する部分は画面ディスプレイ装置の画面に露出させつつ、各ゲーマーの札に該当する映像は各ゲーマーの携帯電話（Ａ１〜Ａｎ）のみに出力させることができる。これは、ゲームサーバー（ＧＰＳ）にいずれか一つのユーザーゲーム共通端末機（Ｃ１〜Ｃｎ）と連携登録された各ゲーマー携帯電話番号によって、ゲームサーバー（ＧＰＳ）から送出された映像データをゲーマー別に差別化して、それぞれの携帯電話（Ａ１〜Ａｎ）に伝送することによってなされる。
【００３２】
また、携帯電話（Ａ１〜Ａｎ）は、内部に公知のＧセンサー（図示せず）を内蔵することによって、携帯電話（Ａ１〜Ａｎ）の位置移動によるキー信号を自動で発生させる。したがって、本システムでは、携帯電話（Ａ１〜Ａｎ）がジョイスティック及びマウスの代わりにゲームに対するキー信号を発生させる手段として使われることができ、スポーツゲームのように行動を実際に具現するゲーム及び多者間ゲームに非常に効果的な入力手段になりうる。
【００３３】
すなわち、本システムでは、携帯電話（Ａ１〜Ａｎ）のＧセンサーを利用して発生されたキー信号を、無線通信網を媒介してゲームサーバー（ＧＰＳ）に伝送する。
【００３４】
この時、Ｇセンサーとは、携帯電話（Ａ１〜Ａｎ）の位置を把握し、携帯電話（Ａ１〜Ａｎ）の位置変動時にその変動値をゲームに対するキー操作の入力値として活用するためのセンサーであり、公知のセンサーであるため、これ以上の詳細説明は省略する。
【００３５】
また、携帯電話（Ａ１〜Ａｎ）の内部には、ゲーム実行のためのゲーム実行アルゴリズムが搭載されている。ゲーム実行アルゴリズムはＧセンサーを活性化させ、Ｇセンサーによるキー信号が生成されれば、あらかじめ登録された携帯電話サーバーに自動に接続する無線網接続、該当キー信号を自動伝送させるキー信号の自動伝送を処理するアルゴリズムである。
【００３６】
図２は、本発明の第１実施形態による携帯電話とユーザーゲーム共通端末機とが連動されたゲームシステムに備えられたインターフェース手段の構成を示すブロック構成図である。
【００３７】
これを参照すれば、本発明の第１実施形態による携帯電話とユーザーゲーム共通端末機とが連動されたゲームシステムに備えられたゲームサーバー（ＧＰＳ）は、その内部に通信モジュール、ユーザー設定プロセッサー、ゲームコンテンツ管理プロセッサー、広告データ出力制御プロセッサー、ユーザーゲーム共通端末機／携帯電話連動登録部、ゲームデータ演算プロセッサー、決済プロセッサー、メモリ、制御部が備えられている。
【００３８】
参照符号６は、ウェブサーバー、防火壁、及びプロトコル設定プロセッサー（図示せず）で構成され、通信網と連結されて携帯電話（Ａ１〜Ａｎ）またはユーザーゲーム共通端末機（Ｃ１〜Ｃｎ）に対して通信を行い、各種ゲーム関連認証／ユーザー設定信号及びキー信号を入力され、ゲーム演算データを携帯電話（Ａ１〜Ａｎ）またはユーザーゲーム共通端末機（Ｃ１〜Ｃｎ）に伝送するための、データ送受信用の通信モジュールを表す。
【００３９】
参照符号８は、特定ゲームコンテンツ参加者の情報を設定するためのユーザー設定プロセッサーを表す。ユーザー設定プロセッサー８は、ゲーム参加のための要請信号を携帯電話（Ａ１〜Ａｎ）やユーザーゲーム共通端末機（Ｃ１〜Ｃｎ）から受信し、該当要請信号、ゲーマー情報、及び携帯電話番号を設定する役割を行う。
【００４０】
参照符号１０は、ユーザーゲーム共通端末機（Ｃ１〜Ｃｎ）に対して各種ゲームコンテンツデータ及び変更データを処理し、かつ管理するためのゲームコンテンツ管理プロセッサーを表す。
【００４１】
参照符号１２は、ゲームデータ出力と連動して携帯電話（Ａ１〜Ａｎ）やユーザーゲーム共通端末機（Ｃ１〜Ｃｎ）に広告データを出力することを制御するための広告データ出力制御プロセッサーを表す。
【００４２】
参照符号１４は、ゲーム実行前にいずれか一つのユーザーゲーム共通端末機（Ｃ１〜Ｃｎ）を通じてゲームを進める少なくとも一つ以上の携帯電話（Ａ１〜Ａｎ）情報を、該当ユーザーのウェブＩＤと連動登録して、ゲームキー操作信号及びゲーム演算値をそれぞれのユーザーゲーム共通端末機／携帯電話別に管理するユーザーゲーム共通端末機／携帯電話連動登録部を表す。
【００４３】
参照符号１６は、ゲーム実行後、携帯電話（Ａ１〜Ａｎ）から伝送されたキー信号によって、ユーザーゲーム共通端末機（Ｃ１〜Ｃｎ）に伝送するゲームデータを演算処理するゲームデータ演算プロセッサーを表す。
【００４４】
参照符号１８は、ゲームコンテンツ使用料やアイテム購入費用を、携帯電話（Ａ１〜Ａｎ）またはユーザーゲーム共通端末機（Ｃ１〜Ｃｎ）を通じる認証により決済処理を行う決済プロセッサーを表す。
【００４５】
参照符号２０は、内部にＲＡＭとＲＯＭとで構成されて、ゲームデータ処理情報、ゲーム参加者の情報、携帯電話とユーザーゲーム共通端末機との連動情報、決済のための認証データ、及び広告データを含んで保存するメモリを表す。
【００４６】
参照符号２２は、ユーザーゲーム共通端末機（Ｃ１〜Ｃｎ）と携帯電話（Ａ１〜Ａｎ）間の連携登録を通じてゲーム参加者の設定、変更ゲームデータの演算値を利用したゲーム出力制御、広告データ出力制御、決済処理インターフェース、携帯電話（Ａ１〜Ａｎ）から受信したキー信号によるゲームデータ演算、及び連携したユーザーゲーム共通端末機（Ａ１〜Ａｎ）へのゲーム演算値伝送をはじめとするシステムを全般的に制御するための制御部を表す。
【００４７】
一方、ゲームサーバー（ＧＰＳ）の内部に携帯電話サーバーを構成せず、携帯電話の通信網を利用するものではなく、有／無線インターネット通信網を通じて携帯電話（Ａ１〜Ａｎ）からゲームサーバー（ＧＰＳ）にデータを伝送することも十分に可能である。このような場合ブルートゥース、無線ＬＡＮ、または赤外線などの無線通信手段を利用してユーザーゲーム共通端末機（Ｃ１〜Ｃｎ）と携帯電話とが直接交信する付加装置、あるいはユーザーゲーム共通端末機の周辺に位置する無線アクセスポイント（ＡＰ）のような無線近距離通信手段が利用される。特に、無線近距離通信手段は、既に超高速通信網と連結されて商用化された公知技術であるため、本発明のシステムを構築するに当たっていかなる制約もない。
【００４８】
このような無線近距離通信手段と超高速通信網を媒介として携帯電話（Ａ１〜Ａｎ）から発生されたキー信号をゲームサーバー（ＧＰＳ）に伝送すれば、さらに迅速なキー信号の伝送が可能であるので、ゲーム進行の時間差が最小化できる。
【００４９】
図３は、本発明の第１実施形態による携帯電話とユーザーゲーム共通端末機とが連動されたゲームシステムを利用した単一ユーザーゲーム共通端末機を通じる多者間マルチゲーム状態を示す図面である。
【００５０】
これを参照すれば、前述したように、本発明の第１実施形態による携帯電話とユーザーゲーム共通端末機とが連動されたゲームシステムを利用した単一ユーザーゲーム共通端末機を通じる多者間マルチゲームは、例えば、“花札ゲーム”に対して各携帯電話（Ａ１〜Ａｎ）別に差別的に映像処理及び音声処理を行い、該当データを該当する携帯電話（Ａ１〜Ａｎ）にそれぞれ差別的に伝送できる。
【００５１】
携帯電話（Ａ１〜Ａｎ）が“花札ゲーム”を進める場合、全体札３２、３４、３６に該当する部分は画面ディスプレイ装置の画面３０に露出され、各ゲーマーの札（例えば、１、２、３、または１、２、３、４などの画面情報）に該当する映像は、各ゲーマーの携帯電話（Ａ１〜Ａｎ）のみに出力されうる。
【００５２】
これは、ゲームサーバー（ＧＰＳ）に登録された各ゲーマーの携帯電話番号によって、ユーザーゲーム共通端末機（Ｃ１〜Ｃｎ）は映像／音声データを、無線データ網を通じて差別的に各携帯電話（Ａ１〜Ａｎ）に伝送処理することによって可能になる。
【００５３】
本発明の第１実施形態による携帯電話とユーザーゲーム共通端末機とが連動されたゲームシステムの機能と作用を、添付した図面を参照して詳細に説明する。
【００５４】
図４及び図５は、本発明の第１実施形態による携帯電話とユーザーゲーム共通端末機とが連動されたゲームシステムの信号フローを示したフローチャートである。
【００５５】
まず、図４は、本発明の第１実施形態による携帯電話とユーザーゲーム共通端末機とが連動されたゲームシステムを通じる基本的なゲーム処理過程を示したフローチャートであり、図５は、本発明の第１実施形態による携帯電話とユーザーゲーム共通端末機とが連動されたゲームシステムを通じて、ゲーム参加者の承認処理を行うフローチャートである。
【００５６】
まず、図４を参照すれば、ゲーム参加者は、携帯電話（Ａ１〜Ａｎ）を利用してゲームの初期化選択信号を伝送し、ゲーム参加者は、いずれか一つのユーザーゲーム共通端末機（Ｃ１〜Ｃｎ）に対して携帯電話（Ａ１〜Ａｎ）の連携登録を設定する。すなわち、ゲーム参加者は、ユーザーゲーム共通端末機（Ｃ１〜Ｃｎ）または携帯電話（Ａ１〜Ａｎ）を利用して、ゲームサーバー（ＧＰＳ）に接続した状態で該当ユーザーゲーム共通端末機／携帯電話連携登録情報、認証情報、及び参加者ゲーム開始要求信号をゲームサーバー（ＧＰＳ）に伝送する。
【００５７】
すると、ゲームサーバー（ＧＰＳ）は信号を受信して、ゲーム参加者情報及びユーザーゲーム共通端末機／携帯電話連携登録情報を設定し、該当ゲームのコンテンツデータをユーザーゲーム共通端末機（Ｃ１〜Ｃｎ）に伝送してゲーム開始を認証する。すなわち、ゲームサーバー（ＧＰＳ）で連携登録処理されるユーザーゲーム共通端末機／携帯電話連携登録は、携帯電話番号とウェブＩＤである。
【００５８】
次いで、ユーザーゲーム共通端末機（Ｃ１〜Ｃｎ）はゲーム開始情報及びコンテンツ情報を受信し、該当ゲームコンテンツの映像及び音声データを、有／無線インターネットを通じて画面ディスプレイ装置で伝送して出力させる。
【００５９】
その状態で、ゲーム参加者は携帯電話（Ａ１〜Ａｎ）に設置されたゲーム実行アルゴリズムを駆動させ、携帯電話（Ａ１〜Ａｎ）が位置移動するか、携帯電話のキーが操作されてゲームに対するイベント信号（キー信号）が発生すれば、携帯電話（Ａ１〜Ａｎ）に設置されたゲーム実行アルゴリズムは、既に登録された無線インターネットのゲームサーバー（ＧＰＳ）に自動に接続するように制御する。次いで、携帯電話（Ａ１〜Ａｎ）は、イベント信号（キー信号）及び携帯電話情報をゲームサーバー（ＧＰＳ）に伝送する。
【００６０】
ゲームサーバー（ＧＰＳ）は、該当イベント信号（キー信号）及び携帯電話情報を受信し、該当携帯電話（Ａ１〜Ａｎ）と連携登録されたユーザーゲーム共通端末機情報（例えば、ウェブＩＤ情報）を抽出し、該当ゲーマーのイベント信号（キー信号）によってゲームデータを演算処理し、演算処理により変更されたゲームデータを該当ユーザーゲーム共通端末機（Ｃ１〜Ｃｎ）（ウェブＩＤ）に伝送する。
【００６１】
ユーザーゲーム共通端末機（Ｃ１〜Ｃｎ）は、インターネット網を通じてゲームサーバー（ＧＰＳ）から変更されたゲームデータを受信し、画面ディスプレイ装置に変更されたゲームデータを出力させる。
【００６２】
したがって、本発明の第１実施形態による携帯電話とユーザーゲーム共通端末機とが連動されたゲームシステムによれば、単一のユーザーゲーム共通端末機を利用して複数のゲーマーがゲームを楽しむことができ、無線キー入力方式であるのでキー入力を容易に行え、ゲームのためのキー入力ツールとして複数の携帯電話（Ａ１〜Ａｎ）を容易に設定でき、画面ディスプレイ装置の大型画面を通じてゲームを楽しむことができる。
【００６３】
図４でゲームサーバー（ＧＰＳ）はゲーマーの認証を行うところ、図５を参照すれば、まずゲーマーは、携帯電話（Ａ１〜Ａｎ）またはユーザーゲーム共通端末機（Ｃ１〜Ｃｎ）を通じてゲームサーバー（ＧＰＳ）に接続する。
【００６４】
その状態で、ゲーマーの認証データを受信したゲームサーバー（ＧＰＳ）は、該当ゲーマーが会員であるかどうかを判断し、会員でなければ、該当ゲーマーの身元情報を受信してＩＤを生成する勘定処理を行う。
【００６５】
次いで、ゲームサーバー（ＧＰＳ）は該当会員をログイン処理する。その状態で、ゲームサーバー（ＧＰＳ）は、ユーザーゲーム共通端末機（Ｃ１〜Ｃｎ）から携帯電話番号を受信して該当携帯電話（Ａ１〜Ａｎ）を連携登録できる。
【００６６】
この時、携帯電話（Ａ１〜Ａｎ）を通じてユーザーゲーム共通端末機（Ｃ１〜Ｃｎ）を認証して連携登録する場合ならば、該当ゲームを行うウェブＩＤ（ゲーム企業で勘定したＩＤ）をゲームサーバー（ＧＰＳ）に伝送して連携登録させる。
【００６７】
この時、ゲームサーバー（ＧＰＳ）と携帯電話（Ａ１〜Ａｎ）との通信は、携帯電話の無線通信網を通じる方法が主になる。一方、ユーザーゲーム共通端末機（Ｃ１〜Ｃｎ）と連結されてゲームサーバー（ＧＰＳ）との通信を助ける別途の送受信装置または無線ＬＡＮのような近距離無線通信網を利用することも可能である。
【００６８】
したがって、携帯電話（Ａ１〜Ａｎ）の認証過程が行われれば、いかなるゲーマーであっても、携帯電話（Ａ１〜Ａｎ）とユーザーゲーム共通端末機（Ｃ１〜Ｃｎ）とを連動させることによって、ゲームコンテンツを進行するためのキー入力の手段として使用することができる。
【００６９】
図６は、本発明の第１実施形態による携帯電話とユーザーゲーム共通端末機とが連動されたゲームシステムを利用した単独ユーザーゲーム共通端末機ゲームの信号フローを示したフローチャートである。
【００７０】
図６は、ゲームサーバー（ＧＰＳ）に存在する複数のゲームコンテンツのうち、特定ゲームコンテンツをダウンロードし、ユーザーゲーム共通端末機（Ｃ１〜Ｃｎ）を利用してローカルゲームを進め、複数のゲーマーがそのローカルゲームに参加できるようにした過程を示す。これは、アーケードゲームと多者間ネットワークゲームとが混合されたゲームの形態であり、ゲームコンテンツの容易な変更を通じて、複数のゲーマーが同時に単一のユーザーゲーム共通端末機を利用してゲームを楽めるという効果がある。
【００７１】
まず、ゲーマーは、ユーザーゲーム共通端末機（Ｃ１〜Ｃｎ）を通じてゲームサーバー（ＧＰＳ）に接続する。その状態で、ゲーマーの認証データはゲームサーバー（ＧＰＳ）に伝送され、ゲームサーバー（ＧＰＳ）は、該当ゲーマーが会員であるかどうかを判断して、会員でない場合ならば、該当ユーザーの身元情報を入力されてＩＤを生成する勘定処理を行う。この時、有料ゲームコンテンツを無限で楽しむために、ゲーマーをして有料会員に加入させることができる。
【００７２】
次いで、ゲームサーバー（ＧＰＳ）は、該当会員をログイン処理する。その状態で、ゲームサーバー（ＧＰＳ）は、携帯電話（Ａ１〜Ａｎ）やユーザーゲーム共通端末機（Ｃ１〜Ｃｎ）から特定のゲームコンテンツ選択信号を受信して認証を行った後、ゲームサーバー（ＧＰＳ）は、該当ユーザーのユーザーゲーム共通端末機（Ｃ１〜Ｃｎ）に該当ゲームコンテンツをダウンロードさせる。
【００７３】
ダウンロードされたゲームコンテンツはユーザーゲーム共通端末機（Ｃ１〜Ｃｎ）に設置され、ユーザーゲーム共通端末機（Ｃ１〜Ｃｎ）は、少なくとも一人以上のゲーム参加者の携帯電話情報（携帯電話番号＋ゲームＩＤ情報）をゲームサーバー（ＧＰＳ）に伝送する。
【００７４】
ゲームサーバー（ＧＰＳ）は、携帯電話（Ａ１〜Ａｎ）を単一１ゲームＩＤに連携登録させる。そして、ゲームが開始されれば、ユーザーゲーム共通端末機（Ｃ１〜Ｃｎ）に設置されたゲームコンテンツによりゲームデータが処理され、処理された映像及び音声データは画面ディスプレイ装置４に出力される。
【００７５】
また、その状態でゲーム参加者が携帯電話（Ａ１〜Ａｎ）を位置移動させるか、またはキーを操作することによってキー信号が発生すれば、携帯電話（Ａ１〜Ａｎ）は、その内部に設置されたゲーム実行プロセッサーにより無線インターネットに自動接続し、既に登録されたゲームサーバー（ＧＰＳ）に該当キー信号を伝送する。
【００７６】
ゲームサーバー（ＧＰＳ）は携帯電話（Ａ１〜Ａｎ）のキー信号を受信し、該当携帯電話情報と共にキー信号を、インターネットを通じてユーザーゲーム共通端末機（Ｃ１〜Ｃｎ）に伝送する。ユーザーゲーム共通端末機（Ｃ１〜Ｃｎ）は、該当ゲームデータを演算処理する。この時、複数のゲーマーが複数の携帯電話（Ａ１〜Ａｎ）を利用して、単一のユーザーゲーム共通端末機（Ｃ１〜Ｃｎ）で行われるゲームに参加する場合であっても、キー信号と共に携帯電話情報がゲームサーバー（ＧＰＳ）に伝送され、キー信号と携帯電話情報とはゲームサーバー（ＧＰＳ）を経由してユーザーゲーム共通端末機（Ｃ１〜Ｃｎ）に伝送されるので、ゲームコンテンツはいかなるゲーマーに対するキー信号であるかが認識できる。
【００７７】
ユーザーゲーム共通端末機（Ｃ１〜Ｃｎ）は、ゲーム演算により変更されたゲームデータを画面ディスプレイ装置に出力する。また、ユーザーゲーム共通端末機（Ｃ１〜Ｃｎ）はゲームの終了如何を判断してゲームを終了する。
【００７８】
一方、本発明の実施形態による携帯電話とユーザーゲーム共通端末機とが連動されたゲームシステム及びその方法は、単に前記実施形態に限定されるものではなく、その技術的趣旨を逸脱しない範囲内で多様な変更が可能である。
【図１】
2010515524.tif 000003
【図２】
2010515524.tif 000004
【図３】
2010515524.tif 000005
【図４】
2010515524.tif 000006
【図５】
2010515524.tif 000007
【図６】
2010515524.tif 000008
【国際調査報告】
2010515524.tif 000009
2010515524.tif 000010